(57)【要約】【課題】簡単に多くの文字を入力することができるデータ処理装置、データ入力方法及びプログラムを提供する。【解決手段】データ処理装置１０のディスプレイ１１には、ガイド表示部１００ を表示する。ガイド表示部１００ は９つのボタンで構成されるガイド表示階層部１１１を有する。このガイド表示階層部１１１の一つのキー１０００を指示すると、第２階層が表示され、この第２の階層には、階層移動キーともに文字入力キーが混在している。階層移動キーを指示すると次の階層へ移動し、文字入力キーを指示すると、その指示された文字が入力される。【選択図】図２
2005228180.tif 000002
【特許請求の範囲】
【請求項１】
表示手段と、少なくとも１つの階層移動キーを含む複数のキーを表示するよう前記表示手段を制御する第１の表示制御手段と、この第１の表示制御手段により前記表示手段に表示された階層移動キーを指示することによって、新たな階層へ移動させる少なくとも１つの階層移動キーと少なくとも１つのデータ入力キーとを表示するよう前記表示手段を制御する第２の表示制御手段と、この第２の表示制御手段により前記表示手段に表示されたデータ入力キーを指示することによって、この指示されたデータを入力する入力手段とを有するデータ処理装置。
【請求項２】
表示手段と、データが付された少なくとも１つの階層移動キーを含む複数のキーを表示するよう前記表示手段を制御する第１の表示制御手段と、この第１の表示制御手段により表示された階層移動キーを指示することによって、新たな階層へ移動させる少なくとも１つの階層移動キーと前記第１の表示制御手段により表示された階層移動キーに付されたデータと関連するデータが付された少なくとも１つのデータ入力キーとを表示するよう前記表示手段を制御する第２の表示制御手段とを有するデータ処理装置。
【請求項３】
表示手段と、データが付された少なくとも１つの階層移動キーを含む複数のキーを表示するよう前記表示手段を制御する第１の表示制御手段と、この第１の表示制御手段により前記表示手段に表示された階層移動キーを指示することによって、前記表示手段の階層移動キーに付されたデータと関連するデータが付された新たな階層へ移動させる少なくとも１つの階層移動キーと少なくとも１つのデータ入力キーとを表示するよう前記表示手段を制御する第２の表示制御手段とを有するデータ処理装置。
【請求項４】
表示手段と、少なくとも１つの階層移動キーを含む複数のキーを表示するよう前記表示手段を制御する第１の表示制御手段と、この第１の表示制御手段により前記表示手段に表示された階層移動キーを指示することによって、新たな階層へ移動させる少なくとも１つの階層移動キーと少なくとも１つのデータ入力キーとを表示するよう前記表示手段を制御する第２の表示制御手段と、この第２の表示制御手段により前記表示手段に表示されたデータ入力キーを指示することによって、この指示されたデータを入力する第１の入力手段と、前記第２の表示制御手段により前記表示手段に表示された階層移動キーを指示することによって、新たな階層へ移動させる少なくとも１つの階層移動キーと少なくとも１つのデータ入力キーとを表示するよう前記表示手段を制御する第３の表示制御手段と、この第３の表示制御手段により前記表示手段に表示されたデータ入力キーを指示することによって、この指示されたデータを入力する第２の入力手段とを有するデータ処理装置。
【請求項５】
表示手段と、少なくとも１つの階層移動キーと少なくとも１つのデータ入力キーとを含む複数のキーを表示するよう前記表示手段を制御する第１の表示制御手段と、この第１の表示制御手段により前記表示手段に表示されたデータ入力キーを指示することによってデータを入力する第１の入力手段と、前記第１の表示制御手段により前記表示手段に表示された階層移動キーを指示することによって、新たな階層へ移動させる少なくとも１つの階層移動キーと少なくとも１つのデータ入力キーとを表示するよう前記表示手段を制御する第２の表示制御手段と、この第２の表示制御手段により前記表示手段に表示されたデータ入力キーを指示することによって、この指示されたデータを入力する第２の入力手段とを有し、前記第１の表示制御手段により前記表示手段に表示されたデータは、前記第２の表示制御手段により前記表示手段に表示されたデータよりも使用頻度が高いデータ処理装置。
【請求項６】
少なくとも１つの階層移動キーを含む複数のキーを表示する第１の表示ステップと、この第１の表示ステップにより表示された階層移動キーを指示することによって、新たな階層へ移動させる少なくとも１つの階層移動キーと少なくとも１つのデータ入力キーとを表示する第２の表示ステップと、この第２の表示ステップにより表示されたデータ入力キーを指示することによって、この指示されたデータを入力する入力ステップとを有するデータ入力方法。
【請求項７】
少なくとも１つの階層移動キーを含む複数のキーを表示する第１の表示ステップと、この第１の表示ステップにより表示された階層移動キーを指示することによって、新たな階層へ移動させる少なくとも１つの階層移動キーと少なくとも１つのデータ入力キーとを表示する第２の表示ステップと、この第２の表示ステップにより表示されたデータ入力キーを指示することによって、この指示されたデータを入力する入力ステップとを有し、コンピュータにより実行させるプログラム。
【発明の詳細な説明】
【技術分野】
【０００１】
本発明は、データを処理するデータ処理装置、データを入力するデータ入力方法及びそのプログラムに関する。
【背景技術】
【０００２】
パーソナルコンピュータ、ＰＤＡ、携帯電話、車載コンピュータ（カーナビゲーション等）、家電コントローラ等においては、簡易にデータ、特に文字を入力できることが求められる。従来、文字群階層的に分類し、テンキーによって文字群及び文字の番号を指定することにより文字を入力するようにしたものが知られている（特許文献１）。また、文字を一覧表示させ、この一覧表示から文字を連続的に選択した場合、文字入力表示上にカーソルを常に表示させるようにしたものが知られている（特許文献２）。また、文字群を階層的に分類し、階層を辿ることにより文字を入力するようにしたものが知られている（特許文献３）。また、コンピュータの処理を階層的に一覧表示させ、処理を選択できるようにした処理選択方式が知られている（特許文献４）。また、複数の文字群から文字を選択するためのガイダンスを表示させるものが知られている（特許文献５）。また、キーをタッチする状態により入力文字を選択するようにしたものが知られている（特許文献６）。また、操作パネルに触れると候補文字を表示したボタンの色が変わり、操作パネルを押圧すると、確定させることで触れた文字が入力されると共に、次候補文字が表示されるようにしたものが知られている（特許文献７）。
【０００３】
【特許文献１】特開平０１−１３６１６号公報
【特許文献２】特開平０２−３５８２６号公報
【特許文献３】特開２００２−３１２１１１号公報
【特許文献４】特開平０２−１８６８３８号公報
【特許文献５】特開平０９−２９４１７０号公報
【特許文献６】特開２００１−３１２１１１号公報
【特許文献７】特開２００２−２３９３０号公報
【発明の開示】
【発明が解決しようとする課題】
【０００４】
本発明の目的は、従来と比較して、より簡単に多くのデータを入力することができるデータ処理装置、データ入力方法及びプログラムを提供することにある。
【課題を解決するための手段】
【０００５】
本発明の第１の特徴とするところは、表示手段と、少なくとも１つの階層移動キーを含む複数のキーを表示するよう前記表示手段を制御する第１の表示制御手段と、この第１の表示制御手段により前記表示手段に表示された階層移動キーを指示することによって、新たな階層へ移動させる少なくとも１つの階層移動キーと少なくとも１つのデータ入力キーとを表示するよう前記表示手段を制御する第２の表示制御手段と、この第２の表示制御手段により前記表示手段に表示されたデータ入力キーを指示することによって、この指示されたデータを入力する入力手段とを有するデータ処理装置にある。
【０００６】
本発明の第２の特徴とするところは、表示手段と、データが付された少なくとも１つの階層移動キーを含む複数のキーを表示するよう前記表示手段を制御する第１の表示制御手段と、この第１の表示制御手段により表示された階層移動キーを指示することによって、新たな階層へ移動させる少なくとも１つの階層移動キーと前記第１の表示制御手段により表示された階層移動キーに付されたデータと関連するデータが付された少なくとも１つのデータ入力キーとを表示するよう前記表示手段を制御する第２の表示制御手段とを有するデータ処理装置にある。
【０００７】
本発明の第３の特徴とするところは、表示手段と、データが付された少なくとも１つの階層移動キーを含む複数のキーを表示するよう前記表示手段を制御する第１の表示制御手段と、この第１の表示制御手段により前記表示手段に表示された階層移動キーを指示することによって、前記表示手段の階層移動キーに付されたデータと関連するデータが付された新たな階層へ移動させる少なくとも１つの階層移動キーと少なくとも１つのデータ入力キーとを表示するよう前記表示手段を制御する第２の表示制御手段とを有するデータ処理装置にある。
【０００８】
本発明の第４の特徴とするところは、表示手段と、少なくとも１つの階層移動キーを含む複数のキーを表示するよう前記表示手段を制御する第１の表示制御手段と、この第１の表示制御手段により表示された階層移動キーを指示することによって、新たな階層へ移動させる少なくとも１つの階層移動キーと少なくとも１つのデータ入力キーとを表示するよう前記表示手段を制御する第２の表示制御手段と、この第２の表示制御手段により前記表示手段に表示されたデータ入力キーを指示することによって、この指示されたデータを入力する第１の入力手段と、前記第２の表示制御手段により前記表示手段に表示された階層移動キーを指示することによって、新たな階層へ移動させる少なくとも１つの階層移動キーと少なくとも１つのデータ入力キーとを表示するよう前記表示手段を制御する第３の表示制御手段と、この第３の表示制御手段により前記表示手段に表示されたデータ入力キーを指示することによって、この指示されたデータを入力する第２の入力手段とを有するデータ処理装置にある。
【０００９】
本発明の第５の特徴とするところは、表示手段と、少なくとも１つの階層移動キーと少なくとも１つのデータ入力キーとを含む複数のキーを表示するよう前記表示手段を制御する第１の表示制御手段と、この第１の表示制御手段により前記表示手段に表示されたデータ入力キーを指示することによってデータを入力する第１の入力手段と、前記第１の表示制御手段により前記表示手段に表示された階層移動キーを指示することによって、新たな階層へ移動させる少なくとも１つの階層移動キーと少なくとも１つのデータ入力キーとを表示するよう前記表示手段を制御する第２の表示制御手段と、この第２の表示制御手段により前記表示手段に表示されたデータ入力キーを指示することによって、この指示されたデータを入力する第２の入力手段とを有し、前記第１の表示制御手段により前記表示手段に表示されたデータは、前記第２の表示制御手段により前記表示手段に表示されたデータよりも使用頻度が高いデータ処理装置にある。
【００１０】
本発明の第６の特徴とするところは、少なくとも１つの階層移動キーを含む複数のキーを表示する第１の表示ステップと、この第１の表示ステップにより表示された階層移動キーを指示することによって、新たな階層へ移動させる少なくとも１つの階層移動キーと少なくとも１つのデータ入力キーとを表示する第２の表示ステップと、この第２の表示ステップにより表示されたデータ入力キーを指示することによって、この指示されたデータを入力する入力ステップとを有するデータ入力方法にある。
【００１１】
本発明の第７の特徴とするところは、少なくとも１つの階層移動キーを含む複数のキーを表示する第１の表示ステップと、この第１の表示ステップにより表示された階層移動キーを指示することによって、新たな階層へ移動させる少なくとも１つの階層移動キーと少なくとも１つのデータ入力キーとを表示する第２の表示ステップと、この第２の表示ステップにより表示されたデータ入力キーを指示することによって、この指示されたデータを入力する入力ステップとを有し、コンピュータにより実行させるプログラムにある。
【００１２】
なお、データ処理装置には、パーソナルコンピュータ、ＰＤＡ、携帯電話、車載コンピュータ（カーナビゲーション等）、家電コントローラ等を含む。また、データには、文字ばかりではなく、命令コード等のコードデータやアイコン等の画像も含む。
【００１３】
本発明は、上述したように、階層移動キーとデータ入力キーとを混在させて表示するようにしたので、入力すべきデータを簡単に見出すことができると共に、階層を辿ることによって多くの文字を入力することが可能となる。
なお、特許文献３においては、「その他（ＯＴＨＥＲＳ）」キーが配置されているが、これは、本発明にいう階層移動キーではなく、９つの表示では表示できない同じ階層の中の文字を表示するためのものである。
【発明を実施するための最良の形態】
【００１４】
次に本発明の実施形態を図面に基づいて説明する。
図１は、本発明の実施形態に係るデータ処理装置としてパーソナルコンピュータ（以降、パソコンと記す）を示すブロック図である。パーソナルコンピュータ１０ は演算装置であるＣＰＵ３０１と、読み書き可能な記憶装置であるＲＡＭ３０２と、読み込みのみ可能な記憶装置であるＲＯＭ３０３と を有している。ＣＰＵ３０１ 、ＲＡＭ３０２およびＲＯＭ３０３ はバス３０４ に接続されており、各種データの授受を行う。また、ネットワーク制御部３０６ に接続されたネットワーク接続インターフェイス３０７ を通じてＬＡＮ接続装置やインターネット接続装置３０８と接続することにより各種ネットワークに接続している。さらにバス３０４ には各種入出力装置との接続するためのＩ／Ｏインターフェイス３０９ が接続されている。Ｉ／Ｏインターフィス３０９ には補助記憶装置であるＨＤＤ３０５ が接続されている。また、データの表示装置であるディスプレイ１１ 、データを入力するためのキーボード３１１ 、マウス１３及びテンキーボード１５ が接続されている。
【００１５】
図２は、データを指示するための装置としてマウス１３およびテンキーボード１５を用いた実施形態を示している。この実施形態においては、少ないキーを使用して、より多くの文字を入力するため、ひとつのキーにより多くの文字を割り当てている。このため、キーの表面に入力可能な文字をすべて表示することは困難となる。そこで表示画面１２に現在適用されている文字配列を、ガイド表示１００として表示することとした。これにより、各階層の文字配列を覚えていなくても文字入力が容易に行うことが可能となった。
【００１６】
（１）マウス１３を使用したパソコン１０における実施形態
ディスプレイ１１の表示画面１２にはガイド表示部１００ を表示する。ガイド表示部１００ は９つのボタンで構成されるガイド表示階層部１１１と、入力する文字の種類を変更したガイド表示階層部の文字配列を初期状態に切り替えるガイド表示機能キー１１２と文字入力するためのソフトウエアを終了するためのガイド表示終了キー１１３を有する。また、キーボードのシフトキーおよびコントロールキーに相当する、シフトボタン１０４およびコントロールボタン１０５が配置されている。このボタン１０４，１０５はチェックボックス形式になっており、チェックしている間はシフトキーおよびコントロールキーが押し続けられているものと認識される。ガイド表示階層部１１１には、第１階層・第２階層・および第３階層以下の階層の文字配列のうち、第１階層もしくは階層移動キーにより表示を切り替えられた第２階層以下の文字配列が表示される。マウス１３の水平面における縦および横の移動量に応じて、表示画面１２に表示されるマウスカーソル１４が移動し、表示画面１２の任意の座標位置の指定およびマウス１３のボタンのクリックおよびドラッグ操作により入力操作を行う。階層移動キーが押下にされた場合は、階層移動キーに対応した階層の文字配列に切り替わる。文字入力キーが押下された場合はガイド表示部１００に表示された文字が入力される。また、ガイド表示機能キー１１２ を押下することにより文字の入力モードを、かなモード→英字モード→数字モード→かなモードと順次切り替えることが出来る。マウス１３の操作方法として、ガイド表示部１００のひとつのキーの上へマウスカーソル14を移動し、クリックボタンを押下するクリックと、ひとつのキーからもうひとつのキーへ１本の線を引くようになぞることで２つのキーをクリックしたのと同じ効果があるドラッグの２方式がある。文字入力するためのソフトウエアを起動した場合は、まずガイド表示部１００に、かな第１階層１０００が表示される。ここでかな文字「た」を入力する場合「た」を含む第２階層＜た＞１４００に移動するためにマウス１３を操作し、かな第１階層１０００の「た」のキーにマウスカーソル14を合わせクリックする。するとガイド表示部１００のガイド表示階層部キー入力部１１１の文字配列が第２階層＜た＞に切り替わり階層移動が行われる。ここでさらにマウスカーソル１４を操作し、第２階層＜た＞１４００の「た」のキーにマウスカーソル14を合わせクリックすると文字「た」の入力をすることができる。文字入力をせずに、かな第１階層１０００に戻る場合は、機能キー１０２に「ＴＯＰ」と表示されるので、該当キーをクリックすることにより、かな第１階層１０００に戻ることができる。この機能は入力キー部の文字配列が第２階層以下のとき有効となる。
【００１７】
（２）テンキーボード１５を使用したパソコン１０における実施形態
上記（１）と同様、テンキーボード１５を使用しても文字を入力することができる。テンキーボード１５の１ないし９のキーをキー入力部１０１として使用し、ディスプレイ１１の表示画面１２にガイド表示部１００を表示する。ガイド表示部１００のガイド表示階層部１１１ には第１階層・第２階層・第３階層以下の階層の文字配列のうち、第１階層もしくは階層移動キーにより表示を切り替えられた第２階層以下の文字配列が表示される。テンキーボード１５の機能キー１０２は、ガイド表示部１００のガイド表示機能キー１１２に、テンキーボード１５の終了キー１０３は、ガイド表示部１００の終了キー１１３にそれぞれ対応する。ガイド表示階層部１１１のガイドキーに対応するキー入力部１０１の１ないし９のキーを押下するとガイド表示階層部１０１のガイドキーに表示された階層移動キーおよび文字入力キーが押下されたこととなる。階層移動キーが押下にされた場合は、ガイドキーに示された階層の文字配列にガイド表示階層部１０１の文字配列が切り替わる。文字入力キーが押下された場合は、ガイドキーに表示された文字の入力を確定することができる。図２では「かな」が表示されているが、英字や数字を入力する場合はガイド表示機能キー１１２に対応する機能キー１０２を押下することによって切り替えを行う。当ソフトウエアを終了する場合は、ガイド表示終了キー１１３に対応する、終了キー１０３を使用する。なお、フルキーボードにおいてもフルキーボードの任意のキーを入力部として使用することにより、テンキーボード１５を使用する場合と同様に文字を入力することが出来る。
【００１８】
図３〜図８は、パソコンの日本語キーボードで入力できるキーに対して本発明を適用した場合の例である。３つのモードを切り替える事により、９つのキーで日本語キーボード上のほぼ全てのキーを入力することが出来る。かなモードの時は図３が、英字モードの時は図４が、数字モードの時は図５がそれぞれ適用される。全てのモードの第一階層には、それぞれ＜制御＞と＜記号＞の階層移動キーが同じ位置に存在し、制御キー（カーソル移動キーなど）や記号を入力する時にはモード変更をしなくても良いようになっている。＜制御＞階層移動キーが押下された時は図６の４１００が、＜記号＞階層移動キーが押下された時には図７の５１００がそれぞれ表示される。
【００１９】
かなモードの配置は、第２階層と第３階層において階層移動キーと文字入力キーが混在していて、使用頻度の高い文字を浅い階層に配置しているので、平均して少ないキー操作で文字の入力が出来るようになっている。
また、清音と濁音が存在する行は第２階層に清音が配置され、第３階層に濁音が配置されている。第２階層の階層移動キーの位置は第１階層の階層移動キーの位置と一致しているので濁音を入力する時は同一キーを２回押下することで対応する濁音の階層が表示される。例えば、かな第１階層１０００において、＜か＞階層移動キーを２回押下すると第３階層＜が＞１２１０が表示される。同様に半濁音「ぱ」は＜は＞の第４階層に配置され、かな第１階層１０００において、＜は＞階層移動キーを３回押下すると第４階層＜ぱ＞１６１１が表示される。このように階層を配置することにより覚えやすく打ちやすい配置を実現している。
また、「あ」「な」「ま」「ら」の各行に関しては濁音が存在しないので＜あ＞の第３階層に「ら」を、＜な＞の第３階層に「ま」をそれぞれ配置した。これにより、５０音のすべてを入力するためにかな第１階層１０００で使用するキーは７つとなり＜制御＞と＜記号＞の階層移動キーをかな第１階層１０００に配置することが出来るようになっている。
また、５０音に関する各階層は「あいうえお」の５列と拗音（ゃゅょ）の３文字を加えて８文字の文字入力キーで構成されているので、「きゃ」「きゅ」「きょ」などの２文字が一度に入力できる。また、「ふぁ」「ふぃ」「ふぇ」「ふぉ」などは「ふ」と「ぁ」「ぃ」「ぇ」「ぉ」の２回に分けて入力することも出来るが、第３階層「ふぁ」１７１０で２文字を一度に入力することが出来る。このように「ぁ」「ぃ」「ぅ」「ぇ」「ぉ」「ゃ」「ゅ」「ょ」などの深い階層に配置された文字でも他の階層で２文字を一度に入力することにより、少ないキー操作で文字の入力が出来るようになっている。さらに、「です」「ます」など文末によく使用する文字を第３階層＜です＞１７３０に配置して、少ないキー操作での文字の入力をサポートしている。
【００２０】
英字モードの配置は、２階層から成っている。第１階層では「A」〜「Z」の２６文字が順番に７つの階層移動キーに配置されている。第２階層では、第１階層に対応した文字入力キーが配置されている。例えば、英字第１階層２０００において、階層移動キー＜ABC＞を押下すると第２階層＜ABC＞２１００が表示され、そこには「a」「b」「c」の文字入力キーが存在する。また、「a」「b」「c」で始まる使用頻度の高い２文字から成る文字入力キーも配置されている。例えば、英字第１階層２０００で階層移動キー＜ABC＞を押下してから第２階層＜ABC＞２１００で文字入力キー「ch」を押下すると一度に「c」と「h」の２文字を入力することが出来る。
また、英字モードにおいては文字入力キーをダブルクリックすることにより（テンキーボード15の場合はすばやく２回連打することにより）大文字が入力される。すなわち、第２階層＜ABC＞２１００で文字入力キー「a」をダブルクリックすると「A」が入力される。「ch」のように複数の文字からなる文字入力キーの場合は、「Ch」のように先頭の文字だけが大文字となる。
【００２１】
かなモードと英字モードにおいては、文字入力キーが押下され該当文字が入力されてから一定時間の間、２文字目入力の階層が表示される。図８は２文字目入力の階層の配置を示したものである。
【００２２】
かなモードにおいて、第３階層＜です＞１７３０以外の階層で文字を確定した場合、かなモード２文字目６００１が表示される。かなモード２文字目６００１には使用頻度の特に高い文字が配置されている。したがって、少ないキー入力で文字が入力できるとともに「かん」などの音節単位で、より自然な入力が出来る。
かなモードにおいて、第３階層＜です＞１７３０の階層で文字を確定した場合、かなモード２文字目＜です＞６００２が表示される。かなモード２文字目＜です＞６００２には、文末に使用する文字が配置されている。
【００２３】
英字モードにおいて、第２階層＜記号＞５１００の文字入力キー「'」以外の文字を確定した場合、英字モード２文字目６００３が表示される。英字モード２文字目６００３には英語において使用頻度の高い文字が配置されている。したがって、少ないキー入力で英文が入力できる。しかし、英語において使用頻度の高い文字は１０文字あり、９個のキーでは足りない。そこで、英字モード２文字目６００３において文字入力キーをダブルクリックすることにより（テンキーボード15の場合はすばやく２回連打することにより）指定された文字入力キーの文字に続いて「n」が入力されるようになっている。たとえば、英字モード２文字目６００３において文字入力キー「e」をダブルクリックすると「e」と「n」の２文字が入力される。これにより、英文を入力する際かなりの部分を１文字１回のキー入力で入力することが出来るようになっている。
英字モードにおいて、第２階層＜記号＞５１００の文字入力キー「'」の文字を確定した場合、英字モード２文字目＜'＞６００４が表示される。英字モード２文字目＜'＞６００４には英文において「'」に続く文字が配置されている。
【００２４】
かなモード・英字モード共に２文字目の階層は一定時間入力がなければ自動的に第１階層に戻る。これにより、２文字目を入力しない場合でも特別な操作をしないで第１階層に戻り引き続き入力が出来るようになっている。
【００２５】
図９のフローチャート図に沿って図１〜図８の詳細な動作を説明する。
先ず、ステップ（以下、「Ｓ」とする）０１において、図１のＨＤＤ３０５からプログラムと階層データを読み込み、ＲＡＭ３０２へ転送する。階層データは図３〜図８に対応するデータであり、図２のガイド表示階層部１１１に表示する表示データと文字入力キーが押下された時に入力される文字データからなる。
【００２６】
プログラムが開始されるとディスプレイ１１の表示画面１２にガイド表示部１００を表示する。ガイド表示部１００のガイド表示階層部１１１にはかな第１階層１０００に対応するデータが表示される（Ｓ１０）。すなわち、９つの階層移動キー＜あやら＞＜か＞＜さ＞＜た＞＜なま＞＜は＞＜わ、。＞＜制御＞＜記号＞が表示される。Ｓ１０では、現在のモードに対応する第１階層を表示する。プログラムの開始時にはかなモードになっているので、かな第１階層１０００が表示されるのである。
【００２７】
第１階層の表示状態においてはガイド表示機能キー１１２はモード変更のボタンとなっており、このボタンをクリックする事により（または機能キー１０２を押下する事により）、モードがかなモード→英字モード→数字モード→かなモードと順に変化する（Ｓ９１・Ｓ９２）。モードが変更された場合、新しいモードに対応する第１階層が表示される。すなわち、かなモードの時はかな第１階層１０００が、英字モードの時は英字第１階層２０００が、数字モードの時は数字第１階層３０００が、それぞれ表示される。
【００２８】
Ｓ１０において終了キーが入力された場合、すなわち、終了キー１０３が押下されるか、ガイド表示終了キー１１３がクリックされた場合、プログラムを終了する（Ｓ９０）。
Ｓ１０においてキーが入力された場合、すなわち、キー入力部１０１のいずれかのキーが押下されるかガイド表示階層部１１１のいずれかのボタンがクリックされた場合、入力されたキーの種類の判定を行う（Ｓ１１）。
【００２９】
Ｓ１０において入力されたキーが文字入力キーならば、Ｓ５０に進み指定された文字の入力を行う。たとえば、数字モードにおいて数字第１階層３０００の文字入力キー「１」が入力された場合、文字「１」が入力される。また、Ｓ１０において入力されたキーが階層移動キーならば、Ｓ２０に進み第２階層が表示される。たとえば、かなモードにおいてかな第１階層１０００の階層移動キー＜あやら＞が入力された場合は、第２階層＜あやら＞１１００が表示される。すなわち、階層移動キー＜ら＞と、文字入力キー「あ」「い」「う」「え」「お」「や」「ゆ」「よ」が表示される。
【００３０】
第２階層が表示されると、ガイド表示機能キー１１２は戻りキーとなり、このボタンをクリックする事により（または機能キー１０２を押下する事により）Ｓ１０に戻り、現在のモードに対応する第１階層が表示される。すなわち、かなモードの時はかな第１階層１０００が、英字モードの時は英字第１階層２０００が、数字モードの時は数字第１階層３０００が、それぞれ表示される。ガイド表示階層部１１１に空白のボタンが存在する時は、そのボタンも戻りキーとなる。たとえば、英字モードにおいて第２階層＜JKLM＞２４００が表示されている時に左下の空白キーをクリックすると英字第１階層２０００が表示される。ガイド表示機能キー１１２は第３階層や第４階層でも戻りキーとして使用する。
【００３１】
第２階層表示Ｓ２０において入力されたキーが文字入力キーならば、Ｓ５０に進み指定された文字の入力を行う。たとえば、かなモードにおいて第２階層＜あやら＞１１００の文字入力キー「あ」が指定された場合は、文字「あ」が入力される。また、Ｓ２０において入力されたキーが階層移動キーならば、Ｓ３０に進み第３階層が表示される。たとえば、かなモードにおいて第２階層＜あやら＞１１００の階層移動キー＜ら＞が入力された場合は、第３階層＜ら＞１１１０が表示される。すなわち、階層移動キー＜ぁ＞と、文字入力キー「ら」「り」「る」「れ」「ろ」「りゃ」「りゅ」「りょ」が表示される。また、Ｓ２０において入力されたキーが戻りキーの場合、Ｓ１０に戻り、現在のモードに対応する第１階層が表示される。すなわち、かなモードの時はかな第１階層１０００が、英字モードの時は英字第１階層２０００が、数字モードの時は数字第１階層３０００が、それぞれ表示される。
【００３２】
第３階層表示Ｓ３０において入力されたキーが文字入力キーならば、Ｓ５０に進み指定された文字の入力を行う。たとえば、かなモードにおいて第３階層＜ら＞１１１０の文字入力キー「ら」が指定された場合は、文字「ら」が入力される。また、Ｓ３０において入力されたキーが階層移動キーならば、Ｓ４０に進み第４階層が表示される。たとえば、かなモードにおいて第３階層＜ら＞１１１０の階層移動キー＜ぁ＞が入力された場合は、第４階層＜ぁ＞１１１１が表示される。すなわち、一つの空白キーと文字入力キー「ぁ」「ぃ」「ぅ」「ぇ」「ぉ」「ゃ」「ゅ」「ょ」が表示される。また、Ｓ３０において入力されたキーが戻りキーの場合、Ｓ１０に戻り、現在のモードに対応する第１階層が表示される。すなわち、かなモードの時はかな第１階層１０００が、英字モードの時は英字第１階層２０００が、数字モードの時は数字第１階層３０００が、それぞれ表示される。
【００３３】
第４階層表示Ｓ４０において入力されたキーが文字入力キーならば、Ｓ５０に進み指定された文字の入力を行う。たとえば、かなモードにおいて第４階層＜ぁ＞１１１１の文字入力キー「ぁ」が指定された場合は、文字「ぁ」が入力される。また、Ｓ４０において入力されたキーが戻りキーの場合、Ｓ１０に戻り、現在のモードに対応する第１階層が表示される。すなわち、かなモードの時はかな第１階層１０００が、英字モードの時は英字第１階層２０００が、数字モードの時は数字第１階層３０００が、それぞれ表示される。
【００３４】
文字入力キーが入力された場合、指定された文字を入力する（Ｓ５０）。指定された文字とは、ガイド表示階層部１１１の入力されたキーに該当するボタンに表示されている文字である。ただし、文字入力キーが制御キーの場合、すなわち、図６の文字入力キーの場合、文字が入力される替わりに対応する動作が実行される。たとえば、第２階層＜制御＞４１００の文字入力キー「←」が指定された場合は、カーソルがひとつ左へ移動する。また、英字モードにおいて文字入力キーをダブルクリックすることにより（テンキーボード１５の場合はすばやく２回連打することにより）先頭の文字が小文字から大文字となる。たとえば、第２階層＜ABC＞２１００の文字入力キー「ch」をダブルクリックすると「Ch」が入力される。
【００３５】
Ｓ５０において文字を入力した後、数字モードの場合はＳ１０に戻り、数字第１階層３０００が表示される。かなモードと英字モードの場合は、図８のいずれかの階層を表示する（Ｓ６１）。具体的には、かなモードにおいて第３階層＜です＞１７３０以外の階層で文字を入力した場合はかなモード２文字目６００１が表示され、かなモードにおいて第３階層＜です＞１７３０の階層で文字入力した場合はかなモード２文字目＜です＞６００２が表示され、英字モードにおいて第２階層＜記号＞５１００の文字入力キー「'」以外の文字を入力した場合は英字モード２文字目６００３が表示され、英字モードにおいて第２階層＜記号＞５１００の文字入力キー「'」の文字をを入力した場合は英字モード２文字目＜'＞６００４が表示される。
【００３６】
Ｓ６１において文字入力キーが入力された場合、指定された文字が入力される（Ｓ６４）。たとえば、かなモード２文字目６００１において文字入力キー「い」が入力された場合、文字「い」が入力される。ただし、英字モード２文字目６００３において文字入力キーをダブルクリックすると（テンキーボード15の場合はすばやく２回連打すると）指定された文字入力キーの文字に続いて「n」が入力される。たとえば、英字モード２文字目６００３において文字入力キー「e」をダブルクリックすると「e」と「n」の２文字が入力される。
【００３７】
Ｓ６４において文字を入力した後は、Ｓ６０に戻り、再び一定時間過ぎるまで２文字目の階層を表示する。したがって、２文字目の階層は連続して入力することが出来る。たとえば、かなモード２文字目６００１において文字入力キー「い」と文字入力キー「ん」を連続して入力すれば「いん」の文字が入力され、英字モード２文字目６００３において文字入力キー「t」と文字入力キー「e」と文字入力キー「d」を連続して入力すれば「ted」の文字が入力される。
【００３８】
Ｓ６１において一定時間を過ぎても文字入力キーが入力されなかった場合は、Ｓ１０に戻り、現在のモードに対応する第１階層が表示される。すなわち、かなモードの時はかな第１階層１０００が、英字モードの時は英字第１階層２０００が、数字モードの時は数字第１階層３０００が、それぞれ表示される。
【００３９】
図１０は「きょうは」という文字列を入力する場合の例である。初めに、ガイド表示部のキー入力部にかなモード第１階層１０００が表示される。ここから階層移動キー「か」を指定し、文字入力キー「きょ」が存在する第２階層＜か＞１２００に移動する。そして第２階層＜か＞１２００にて文字入力キー「きょ」を指定することにより「きょ」の入力が確定し、入力結果部２００に「きょ」が表示される。
次に、２文字目入力アシスト機能が働き「う」を入力する。この機能は、文字の入力が確定した後に連続して２文字目を入力できる機能であり、使用頻度の高い文字を配置することにより、少ない操作で文字が入力出来るようになる。ガイド表示部のキー入力部にかなモード２文字目６００１が表示されるため、このかなモード２文字目６００１から文字入力キー「う」を指定することにより「う」の入力が確定し入力結果部２００に「う」が表示される。かなモード２文字目６００１から文字を入力すると、ガイド表示部のキー入力部にはかなモード第１階層１０００が表示される。次の文字を入力するため、階層移動キー「は」を指定し、文字入力キー「は」が存在する第２階層＜は＞１６００に移動する。そして、第２階層＜は＞１６００にて文字入力キー「は」を指定することにより、「は」の入力が確定し入力結果部２００に「は」が表示される。
これで文字列「きょうは」の入力が完了する。
【００４０】
図１１は「The pen」という文字列を入力する場合の例である。初めに、ガイド表示部のキー入力部に英字モード第１階層２０００が表示される。ここから階層移動キー「QRST」を指定し、文字入力キー「th」が存在する第２階層＜QRST＞２６００に移動する。そして第２階層＜QRST＞２６００にて文字入力キー「th」をダブルクリックすることにより、「Th」の入力が確定し入力結果部２００に「Th」が表示される。ここでダブルクリックは英字の１文字目を大文字で入力する場合の操作であり、シングルクリックした場合は「th」と入力される。
さらに、ガイド表示部のキー入力部に英字モード２文字目６００３が表示されるため、この英字モード２文字目６００３から文字入力キー「e」を指定することにより、「e」の入力が確定し入力結果部２００に「e」が表示される。なお、英字モード２文字目６００３はタイマー制御により表示後一定時間経過すると英字モード第１階層２０００に表示が切り替わるように設定されている。英字モード２文字目６００３から文字を入力すると、同じくガイド表示部のキー入力部には英字モード第１階層２０００が表示される。これで文字列の「The」までが入力されたことになる。次に空白を入力するため、階層移動キー「記号」を指定し、文字入力キー「空白」が存在する記号第１階層５０００に移動する。そして、記号第１階層５０００にて文字入力キー「空白」を指定することにより、空白の入力が確定し入力結果部２００に空白が表示される。
【００４１】
空白の入力確定後、ガイド表示部のキー入力部には英字モード第１階層２０００が表示される。次の文字を入力するため、階層移動キー「NOP」を指定し、文字入力キー「p」が存在する第２階層＜NOP＞２５００に移動する。そして、第２階層＜NOP＞２５００にて文字入力キー「p」を指定することにより、「p」の入力が確定し入力結果部２００に「p」が表示される。さらに、ガイド表示部のキー入力部に英字モード２文字目６００３が表示されるため、この英字モード２文字目６００３から文字入力キー「e」をダブルクリックすることにより、「en」の入力が確定し入力結果部２００に「en」が表示される。これで文字列の「pen」が入力されたことになり「The pen」の入力が完了となる。なお、英字モード２文字目２００３の文字入力キーをダブルクリックすることは、文字入力キーに表示されている英字とその後に続けて「n」を入力する場合の操作であり、シングルクリックした場合は「e」のみが入力される。
なお、マウスを入力装置として使用する場合には、ダブルクリックで大文字（１つの文字入力キーで複数文字を入力する場合は先頭の１文字を大文字）入力する機能がある。例えば、「The pen」と入力する場合、上記入力例で初めに文字入力キー「th」を指定する際、ダブルクリックを行うことで「Th」と入力され、以降同様の操作を行うと「The pen」と入力することができる。これにより、文字入力前に、大文字・小文字の切り替えを意識する必要がなくなるため、文字入力操作の負荷を軽減することが可能となる。
【００４２】
図１２は、データ処理装置として、ペン入力機能を有した小型情報処理端末における実施形態である。小型情報処理端末２１の表示画面22にはガイド表示部１００を表示する。ガイド表示部１００のキー入力部１０１には、第１階層・第２階層・第３階層以下の階層の文字配列のうち、第１階層もしくは階層移動キーにより表示を切り替えられた第２階層以下の文字配列が表示される。入力用ペン２３により表示画面２２の任意の位置をタッチすることにより入力操作を行う。キー入力部１０１は、縦に３つ横に３つの正方状にキーが配置されており、入力用ペン２３によりいずれかのキーにタッチすることによりキー入力部１０１に表示された階層移動キーおよび文字入力キーが押下されたこととなる。階層移動キーが押下にされた場合は、該当のキーに示された階層の文字配列にキー入力部１０１の文字配列が切り替わる。文字入力キーが押下された場合は、該当のキーに表示された文字の入力を確定することができる。図１２では「かな」が表示されているが、英字、数字、制御、記号を入力する場合は、ガイド表示部１００の機能キー１０２によって切り替えを行う。文字入力を終了する場合は、ガイド表示部１００の終了キー１０３を使用する。入力用ペン２３の操作方法として、ガイド表示部１００のひとつのキーが表示されている範囲に入力用ペン２３の先端を接触して離すタッチと、ひとつのキーが表示されている範囲で入力用ペン２３を接触させてもうひとつのキーが表示されている範囲まで入力用ペン２３の先端を接触させたまま表示画面をなぞるドラッグの２方式がある。ドラッグ方式を使用すると、キー入力部１０１の上で１本の線を引くだけで文字入力することが可能となる。これにより、階層移動と文字入力を一連の動作で行うことが出来る。
【００４３】
図１３は携帯電話機３１における実施形態である。ダイヤルキーの１ないし９のキーをキー入力部１０１、「文字」キー（機種により異なる）を機能キー１０２、「電源」キーを終了キー１０３として使用し、表示画面３２にガイド表示部１００を表示する。ガイド表示部１００には第１階層・第２階層・第３階層以下の階層の文字配列のうち、第１階層もしくは階層移動キーにより表示を切り替えられた第２階層以下の文字配列が表示される。キー入力部１０１およびガイド表示部１００は、縦に３つ横に３つの正方状にキーが配置されており、キー入力部１０１の９つのキーはそれぞれガイド表示部１００の９つのガイドキーに対応する。ガイド表示部１００のガイドキーに対応するキー入力部１０１の１ないし９のキーを押下すると、ガイド表示部１００のガイドキーに表示された階層移動キーおよび文字入力キーが押下されたこととなる。階層移動キーが押下にされた場合は、ガイドキーに示された階層の文字配列にガイド表示部１００の文字配列が切り替わる。文字入力キーが押下された場合は、ガイドキーに表示された文字の入力を確定することができる。図１３では「かな」が表示されているが、英字、数字、制御、記号を入力する場合は、機能キー１０２によって切り替えを行う。文字入力を終了する場合は、終了キー１０３を使用する。
【００４４】
図１４は、タッチパネルを入力兼表示装置として有する情報処理装置（以降タッチパネル装置と記述）における実施形態である。タッチパネル装置５１の表示画面５２にはガイド表示部１００を表示する。ガイド表示部１００のキー入力部１０１には第１階層・第２階層・第３階層以下の階層の文字配列のうち、第１階層もしくは階層移動キーにより表示を切り替えられた第２階層以下の文字配列が表示される。手の指先等により表示画面５２の任意の位置をタッチすることにより入力操作を行う。キー入力部１０１は、縦に３つ横に３つの正方状にキーが配置されており、手の指先等によりいずれかのキーにタッチすることによりキー入力部１０１に表示された階層移動キーおよび文字入力キーが押下されたこととなる。階層移動キーが押下にされた場合は、仮想キーに示された階層の文字配列にキー入力部１０１の文字配列が切り替わる。文字入力キーが押下された場合は、仮想キーに表示された文字の入力を確定することができる。入力が確定した文字は表示画面５２の入力結果部２００に表示される。図１４では「かな」が表示されているが、英字、数字、制御、記号を入力する場合は、ガイド表示部１００の機能キー１０２によって切り替えを行う。文字入力を終了する場合は、ガイド表示部１００の終了キー１０３を使用する。
【００４５】
図１５は遠隔操作装置（リモートコントローラ）を有した情報処理装置における実施形態である。遠隔操作装置６１の操作キーのうち１ないし９のキーをキー入力部１０１、ＭＯＤＥキー（機種により異なる）を機能キー１０２、ＰＯＷＥＲキーを終了キー１０３として使用し、表示画面６２にガイド表示部１００を表示する。ガイド表示部１００には第１階層・第２階層および第３階層以下の階層の文字配列のうち、第１階層および階層移動キーにより表示を切り替えられた第２階層以下の文字配列が表示される。キー入力部１０１およびガイド表示部１００は、縦に３つ横に３つの正方状にキーが配置されており、キー入力部１０１の９つのキーはそれぞれガイド表示部１００の９つのガイドキーに対応する。ガイド表示部１００のガイドキーに対応するキー入力部１０１の１ないし９のキーを押下するとガイド表示部１００のガイドキーに表示された階層移動キーおよび文字入力キーが押下されたこととなる。階層移動キーが押下にされた場合は、ガイドキーに示された階層の文字配列にガイド表示部１００の文字配列が切り替わる。文字入力キーが押下された場合は、ガイドキーに示された文字の入力を確定することができる。図１５では「かな」が表示されているが、英字、数字、制御、記号を入力する場合は、機能キー１０２によって切り替えを行う。文字入力を終了する場合は、終了キー１０３を使用する。
【産業上の利用可能性】
【００４６】
以上述べたように、本発明は、パーソナルコンピュータ、ＰＤＡ、携帯電話、車載コンピュータ（カーナビゲーション等）、家電コントローラ等のデータ処理装置において、簡単にデータを入力する場合に利用することができるものである。
【図面の簡単な説明】
【００４７】
【図１】パーソナルコンピュータのハードウエア構成を表したブロック図である。
【図２】本発明の実施形態でパーソナルコンピュータを説明するための図である。
【図３】文字配列の階層構造と配列内容のうち、「かなモード」の文字配列について説明するため図である。
【図４】文字配列の階層構造と配列内容のうち、「英字モード」の文字配列について説明するため図である。
【図５】文字配列の階層構造と配列内容のうち、「数字モード」の文字配列について説明するため図である。
【図６】文字配列の階層構造と配列内容のうち、「制御モード」の文字配列について説明するため図である。
【図７】文字配列の階層構造と配列内容のうち、「記号モード」の文字配列について説明するため図である。
【図８】文字配列の階層構造と配列内容のうち、「２文字目入力画面」の文字配列について説明するため図である。
【図９】文字を入力する場合の操作フローを説明するための図である。
【図１０】かなの語句「きょうは」を入力する場合の入力部と表示部および入力結果部による入力操作を説明するための図である。。
【図１１】英語の語句「The pen」を入力する場合の入力部と表示部および入力結果部による入力操作を説明するための図である。
【図１２】本発明の実施例で小型情報端末（ＰＤＡ）を説明するための図である。
【図１３】本発明の実施形態に係る携帯電話機を説明するための図である。
【図１４】本発明の実施形態に係るタッチパネルを入力装置とする情報処理装置を説明するための図である。
【図１５】本発明の実施形態に係る遠隔操作装置（リモコン）を入力装置とする情報処理装置を説明するための図である。
【符号の説明】
【００４８】
１０    パーソナルコンピュータ
１１    ディスプレイ
１２    表示画面
１３    マウス
１４    マウスカーソル
１５    テンキーボード
１００  ガイド表示部
１０１  キー入力部
１０２  機能キー
１０３  終了キー
１１１  ガイド表示階層部 
１１２  ガイド表示機能キー
１１３  ガイド表示終了キー
１０００  かな第１階層
１１００  第２階層＜あや＞
１１１０  第３階層＜ら＞
１１１１  第４階層＜ぁ＞
１２００  第２階層＜か＞
１２１０  第３階層＜が＞
１３００  第２階層＜さ＞
１３１０  第３階層＜ざ＞
１３１１  第４階層＜しぇ＞
１４００  第２階層＜た＞
１４１０  第３階層＜だ＞
１４１１  第４階層＜ちぇ＞
１５００  第２階層＜な＞
１５１０  第３階層＜ま＞
１６００  第２階層＜は＞
１６１０  第３階層＜ば＞
１６１１  第４階層＜ぱ＞
１７００  第２階層＜わ。、＞
１７１０  第３階層＜ゎふぁ＞
１７１１  第４階層＜ゎうぁ＞
１７１２  第４階層＜う゛ぁ＞
１７２０  第３階層＜・「」゛＞
１７３０  第３階層＜です＞
２０００  英字第１階層
２１００  第２階層＜ABC＞
２２００  第２階層＜DEF＞
２３００  第２階層＜GHI＞
２４００  第２階層＜JKLM＞
２５００  第２階層＜NOP＞
２６００  第２階層＜QRST＞
２７００  第２階層＜U-Z＞
３０００  数字第１階層
３１００  第２階層＜789＞
４１００  第２階層＜制御＞
４１１０  第３階層＜F1-6＞
４１１１  第４階層＜F7-12＞
４１２０  第３階層＜制御２＞
５１００  第２階層＜記号＞
５１１０  第３階層＜記号２＞
５１１１  第４階層＜＾＞
５１１２  第４階層＜#$%＞
５１１３  第４階層＜[]＞
５１１４  第４階層＜+-=＞
５３００  第２階層＜ ,＞
６００１  かなモード２文字目
６００２  かなモード２文字目＜です＞
６００３  英字モード２文字目
６００４  英字モード２文字目＜’＞
２００    入力結果部  
２１      小型情報処理端末
２２      表示画面
２３      入力用ペン
３１      携帯電話機 
３２      表示画面
５１      タッチパネル装置
５２      表示画面
６１      遠隔操作装置
６２      表示画面
【図１】
2005228180.tif 000003
【図２】
2005228180.tif 000004
【図３】
2005228180.tif 000005
【図４】
2005228180.tif 000006
【図５】
2005228180.tif 000007
【図６】
2005228180.tif 000008
【図７】
2005228180.tif 000009
【図８】
2005228180.tif 000010
【図９】
2005228180.tif 000011
【図１０】
2005228180.tif 000012
【図１１】
2005228180.tif 000013
【図１２】
2005228180.tif 000014
【図１３】
2005228180.tif 000015
【図１４】
2005228180.tif 000016
【図１５】
2005228180.tif 000017
【手続補正書】
【提出日】平成16年10月5日(2004.10.5)
【手続補正１】
【補正対象書類名】特許請求の範囲
【補正対象項目名】全文
【補正方法】変更
【補正の内容】
【特許請求の範囲】
【請求項１】
表示手段と、少なくとも２つの階層移動キーを含む第１階層を表示するよう前記表示手段を制御する第１の表示制御手段と、この第１の表示制御手段により前記表示手段に表示されたいずれか一つの階層移動キーを指示することによって、新たな階層へ移動させる少なくとも１つの階層移動キーと少なくとも１つのデータ入力キーとを含み、第１階層で指示された階層移動キーに対応した複数の第２階層を表示するよう前記表示手段を制御する第２の表示制御手段と、この第２の表示制御手段により前記表示手段に表示されたデータ入力キーを指示することによって、この指示されたデータを入力する入力手段とを有し、前記第２の表示制御手段は、第１階層で指示された階層移動キーに対応した第２階層の階層移動キーの配置をそれぞれ異にするよう前記表示手段を制御するデータ処理装置。
【請求項２】
表示手段と、データが付された少なくとも２つの階層移動キーを含む第１階層を表示するよう前記表示手段を制御する第１の表示制御手段と、この第１の表示制御手段により表示されたいずれか一つの階層移動キーを指示することによって、新たな階層へ移動させる少なくとも１つの階層移動キーと前記第１の表示制御手段により表示された階層移動キーに付されたデータと関連するデータが付された少なくとも１つのデータ入力キーとを含み、第１階層で指示された階層移動キーに対応した複数の第２階層を表示するよう前記表示手段を制御する第２の表示制御手段とを有し、前記第２の表示制御手段は、第１階層で指示された階層移動キーに対応した第２階層の階層移動キーの配置をそれぞれ異にするよう前記表示手段を制御するデータ処理装置。
【請求項３】
表示手段と、データが付された少なくとも２つの階層移動キーを含む第１階層を表示するよう前記表示手段を制御する第１の表示制御手段と、この第１の表示制御手段により前記表示手段に表示されたいずれか一つの階層移動キーを指示することによって、第１階層の階層移動キーに付されたデータと関連するデータが付された新たな階層へ移動させる少なくとも１つの階層移動キーと少なくとも１つのデータ入力キーとを含み、第１階層で指示された階層移動キーに対応した複数の第２階層を表示するよう前記表示手段を制御する第２の表示制御手段とを有し、前記第２の表示制御手段は、第１階層で指示された階層移動キーに対応した第２階層の階層移動キーの配置をそれぞれ異にするよう前記表示手段を制御するデータ処理装置。
【請求項４】
表示手段と、少なくとも２つの階層移動キーを含む第１階層を表示するよう前記表示手段を制御する第１の表示制御手段と、この第１の表示制御手段により前記表示手段に表示されたいずれか一つの階層移動キーを指示することによって、新たな階層へ移動させる少なくとも１つの階層移動キーと少なくとも１つのデータ入力キーとを含み、第１階層で指示された階層移動キーに対応した複数の第２階層を表示するよう前記表示手段を制御する第２の表示制御手段と、この第２の表示制御手段により前記表示手段に表示されたデータ入力キーを指示することによって、この指示されたデータを入力する第１の入力手段と、前記第２の表示制御手段により前記表示手段に表示された階層移動キーを指示することによって、新たな階層へ移動させる少なくとも１つの階層移動キーと少なくとも１つのデータ入力キーとを含む第３階層を表示するよう前記表示手段を制御する第３の表示制御手段と、この第３の表示制御手段により前記表示手段に表示されたデータ入力キーを指示することによって、この指示されたデータを入力する第２の入力手段とを有し、前記第２の表示制御手段は、第１階層で指示された階層移動キーに対応した第２階層の階層移動キーの配置をそれぞれ異にするよう前記表示手段を制御するデータ処理装置。
【請求項５】
表示手段と、少なくとも２つの階層移動キーを含む第１階層を表示するよう前記表示手段を制御する第１の表示制御手段と、この第１の表示制御手段により前記表示手段に表示されたいずれか一つの階層移動キーを指示することによって、新たな階層へ移動させる少なくとも１つの階層移動キーと少なくとも１つのデータ入力キーとを含み、第１階層で指示された階層移動キーに対応した複数の第２階層を表示するよう前記表示手段を制御する第２の表示制御手段と、この第２の表示制御手段により前記表示手段に表示されたデータ入力キーを指示することによって、この指示されたデータを入力する第１の入力手段と、前記第２の表示制御手段により前記表示手段に表示された階層移動キーを指示することによって、新たな階層へ移動させる少なくとも１つの階層移動キーと少なくとも１つのデータ入力キーとを含む第３階層を表示するよう前記表示手段を制御する第３の表示制御手段と、この第３の表示制御手段により前記表示手段に表示されたデータ入力キーを指示することによって、この指示されたデータを入力する第２の入力手段とを有し、前記第２の表示制御手段は、第１階層で指示された階層移動キーに対応した第２階層の階層移動キーの配置をそれぞれ異にするよう前記表示手段を制御し、前記第２の表示制御手段により前記表示手段に表示されたデータは、前記第３の表示制御手段により前記表示手段に表示されたデータよりも使用頻度が高いデータ処理装置。
【請求項６】
少なくとも２つの階層移動キーを含む第１階層を表示する第１の表示ステップと、この第１の表示ステップにより表示されたいずれか一つの階層移動キーを指示することによって、新たな階層へ移動させる少なくとも１つの階層移動キーと少なくとも１つのデータ入力キーとを含み、第１階層で指示された階層移動キーに対応した複数の第２階層を表示する第２の表示ステップと、この第２の表示ステップにより表示されたデータ入力キーを指示することによって、この指示されたデータを入力する入力ステップとを有し、前記第２の表示ステップにおいては、第１階層で指示された階層移動キーに対応した第２階層の階層移動キーの配置をそれぞれ異にするデータ入力方法。
【請求項７】
少なくとも２つの階層移動キーを含む第１階層を表示する第１の表示ステップと、この第１の表示ステップにより表示されたいずれか一つの階層移動キーを指示することによって、新たな階層へ移動させる少なくとも１つの階層移動キーと少なくとも１つのデータ入力キーとを含み、第１階層で指示された階層移動キーに対応した複数の第２階層を表示する第２の表示ステップと、この第２の表示ステップにより表示されたデータ入力キーを指示することによって、この指示されたデータを入力する入力ステップとを有し、前記第２の表示ステップにおいては、第１階層で指示された階層移動キーに対応した第２階層の階層移動キーの配置をそれぞれ異にするコンピュータにより実行させるプログラム。
【手続補正２】
【補正対象書類名】明細書
【補正対象項目名】０００５
【補正方法】変更
【補正の内容】
【０００５】
本発明の第１の特徴とするところは、表示手段と、少なくとも２つの階層移動キーを含む第１階層を表示するよう前記表示手段を制御する第１の表示制御手段と、この第１の表示制御手段により前記表示手段に表示されたいずれか一つの階層移動キーを指示することによって、新たな階層へ移動させる少なくとも１つの階層移動キーと少なくとも１つのデータ入力キーとを含み、第１階層で指示された階層移動キーに対応した複数の第２階層を表示するよう前記表示手段を制御する第２の表示制御手段と、この第２の表示制御手段により前記表示手段に表示されたデータ入力キーを指示することによって、この指示されたデータを入力する入力手段とを有し、前記第２の表示制御手段は、第１階層で指示された階層移動キーに対応した第２階層の階層移動キーの配置をそれぞれ異にするよう前記表示手段を制御するデータ処理装置にある。
【手続補正３】
【補正対象書類名】明細書
【補正対象項目名】０００６
【補正方法】変更
【補正の内容】
【０００６】
本発明の第２の特徴とするところは、表示手段と、データが付された少なくとも２つの階層移動キーを含む第１階層を表示するよう前記表示手段を制御する第１の表示制御手段と、この第１の表示制御手段により表示されたいずれか一つの階層移動キーを指示することによって、新たな階層へ移動させる少なくとも１つの階層移動キーと前記第１の表示制御手段により表示された階層移動キーに付されたデータと関連するデータが付された少なくとも１つのデータ入力キーとを含み、第１階層で指示された階層移動キーに対応した複数の第２階層を表示するよう前記表示手段を制御する第２の表示制御手段とを有し、前記第２の表示制御手段は、第１階層で指示された階層移動キーに対応した第２階層の階層移動キーの配置をそれぞれ異にするよう前記表示手段を制御するデータ処理装置にある。
【手続補正４】
【補正対象書類名】明細書
【補正対象項目名】０００７
【補正方法】変更
【補正の内容】
【０００７】
本発明の第３の特徴とするところは、表示手段と、データが付された少なくとも２つの階層移動キーを含む第１階層を表示するよう前記表示手段を制御する第１の表示制御手段と、この第１の表示制御手段により前記表示手段に表示されたいずれか一つの階層移動キーを指示することによって、第１階層の階層移動キーに付されたデータと関連するデータが付された新たな階層へ移動させる少なくとも１つの階層移動キーと少なくとも１つのデータ入力キーとを含み、第１階層で指示された階層移動キーに対応した複数の第２階層を表示するよう前記表示手段を制御する第２の表示制御手段とを有し、前記第２の表示制御手段は、第１階層で指示された階層移動キーに対応した第２階層の階層移動キーの配置をそれぞれ異にするよう前記表示手段を制御するデータ処理装置にある。
【手続補正５】
【補正対象書類名】明細書
【補正対象項目名】０００８
【補正方法】変更
【補正の内容】
【０００８】
本発明の第４の特徴とするところは、表示手段と、少なくとも２つの階層移動キーを含む第１階層を表示するよう前記表示手段を制御する第１の表示制御手段と、この第１の表示制御手段により前記表示手段に表示されたいずれか一つの階層移動キーを指示することによって、新たな階層へ移動させる少なくとも１つの階層移動キーと少なくとも１つのデータ入力キーとを含み、第１階層で指示された階層移動キーに対応した複数の第２階層を表示するよう前記表示手段を制御する第２の表示制御手段と、この第２の表示制御手段により前記表示手段に表示されたデータ入力キーを指示することによって、この指示されたデータを入力する第１の入力手段と、前記第２の表示制御手段により前記表示手段に表示された階層移動キーを指示することによって、新たな階層へ移動させる少なくとも１つの階層移動キーと少なくとも１つのデータ入力キーとを含む第３階層を表示するよう前記表示手段を制御する第３の表示制御手段と、この第３の表示制御手段により前記表示手段に表示されたデータ入力キーを指示することによって、この指示されたデータを入力する第２の入力手段とを有し、前記第２の表示制御手段は、第１階層で指示された階層移動キーに対応した第２階層の階層移動キーの配置をそれぞれ異にするよう前記表示手段を制御するデータ処理装置にある。
【手続補正６】
【補正対象書類名】明細書
【補正対象項目名】０００９
【補正方法】変更
【補正の内容】
【０００９】
本発明の第５の特徴とするところは、表示手段と、少なくとも２つの階層移動キーを含む第１階層を表示するよう前記表示手段を制御する第１の表示制御手段と、この第１の表示制御手段により前記表示手段に表示されたいずれか一つの階層移動キーを指示することによって、新たな階層へ移動させる少なくとも１つの階層移動キーと少なくとも１つのデータ入力キーとを含み、第１階層で指示された階層移動キーに対応した複数の第２階層を表示するよう前記表示手段を制御する第２の表示制御手段と、この第２の表示制御手段により前記表示手段に表示されたデータ入力キーを指示することによって、この指示されたデータを入力する第１の入力手段と、前記第２の表示制御手段により前記表示手段に表示された階層移動キーを指示することによって、新たな階層へ移動させる少なくとも１つの階層移動キーと少なくとも１つのデータ入力キーとを含む第３階層を表示するよう前記表示手段を制御する第３の表示制御手段と、この第３の表示制御手段により前記表示手段に表示されたデータ入力キーを指示することによって、この指示されたデータを入力する第２の入力手段とを有し、前記第２の表示制御手段は、第１階層で指示された階層移動キーに対応した第２階層の階層移動キーの配置をそれぞれ異にするよう前記表示手段を制御し、前記第２の表示制御手段により前記表示手段に表示されたデータは、前記第３の表示制御手段により前記表示手段に表示されたデータよりも使用頻度が高いデータ処理装置にある。
【手続補正７】
【補正対象書類名】明細書
【補正対象項目名】００１０
【補正方法】変更
【補正の内容】
【００１０】
本発明の第６の特徴とするところは、少なくとも２つの階層移動キーを含む第１階層を表示する第１の表示ステップと、この第１の表示ステップにより表示されたいずれか一つの階層移動キーを指示することによって、新たな階層へ移動させる少なくとも１つの階層移動キーと少なくとも１つのデータ入力キーとを含み、第１階層で指示された階層移動キーに対応した複数の第２階層を表示する第２の表示ステップと、この第２の表示ステップにより表示されたデータ入力キーを指示することによって、この指示されたデータを入力する入力ステップとを有し、前記第２の表示ステップにおいては、第１階層で指示された階層移動キーに対応した第２階層の階層移動キーの配置をそれぞれ異にするデータ入力方法にある。
【手続補正８】
【補正対象書類名】明細書
【補正対象項目名】００１１
【補正方法】変更
【補正の内容】
【００１１】
本発明の第７の特徴とするところは、少なくとも２つの階層移動キーを含む第１階層を表示する第１の表示ステップと、この第１の表示ステップにより表示されたいずれか一つの階層移動キーを指示することによって、新たな階層へ移動させる少なくとも１つの階層移動キーと少なくとも１つのデータ入力キーとを含み、第１階層で指示された階層移動キーに対応した複数の第２階層を表示する第２の表示ステップと、この第２の表示ステップにより表示されたデータ入力キーを指示することによって、この指示されたデータを入力する入力ステップとを有し、前記第２の表示ステップにおいては、第１階層で指示された階層移動キーに対応した第２階層の階層移動キーの配置をそれぞれ異にするコンピュータにより実行させるプログラムにある。